(57)【要約】【課題】部品点数を削減しつつ、機器品の筐体強度を向上させた熱交換ユニットを提供すること。【解決手段】本発明の熱交換ユニットは、熱交換ユニットの外郭の底部を形成する基板と、外郭の底部以外を形成する外箱とを、操作部と圧力計の固定を兼ねた特殊板にて連結固定したことにより、機器の筐体強度を向上させることができ、さらに操作部及び圧力計の固定必要な部品点数を削減し、組立時の作業性を向上することができる。また部品点数を削減することよって、部品の仕上がりや組立による累積バラツキを低減し、操作部及び圧力計の位置バラツキを抑制し製品外装の美観性を保持することができる。【選択図】図３
2011208899.tif 000002
【特許請求の範囲】
【請求項１】
熱交換ユニットの外郭の底部を形成する基板と、外郭の底部以外を形成する外箱とを、操作部と圧力計の固定を兼ねた特殊板にて連結固定したことを特徴する熱交換ユニット。
【請求項２】
電装部品を搭載する電源板を機器内部の最側面側に配置し、前記特殊板と前記電源板と前記基板を連結固定し、機器内部の水回路と電装部を区画したことを特徴とする請求項１に記載の熱交換ユニット。
【請求項３】
前記電源板を製品前面側から着脱可能に固定することを特徴とする請求項２に記載の熱交換ユニット。
【請求項４】
前記特殊板に折り曲げ面を設けたことを特徴とする請求項１から３のいずれか１項に記載の熱交換ユニット。
【発明の詳細な説明】
【技術分野】
【０００１】
本発明は、暖房用温水循環回路を介して暖房端末に温水を供給する温水暖房機に関し、特に室内に設けられる熱交換ユニットに関するものである。
【背景技術】
【０００２】
従来の温水暖房装置として、室外にヒートポンプユニットを配置し、室内に熱交換ユニットとタンクユニットを配置した温水暖房装置がある（例えば、特許文献１参照）。
【０００３】
一方、いわゆるヒートポンプ給湯機の付加機能として知られる床暖房では、ヒートポンプユニットとタンクユニットとを室外に設置し、室内床暖房と室外のタンクユニットとは温水配管で接続されているため、寒冷地に設置した場合、温水配管が凍結してしまう恐れがある。そのため、特許文献１に開示されているような温水暖房装置は、室内と室外とが冷媒配管にて接続されているため、凍結しにくいものであり、主に寒冷地で設置されることが多く、非常に暖房装置として有効なものである。
【先行技術文献】
【特許文献】
【０００４】
【特許文献１】国際公開第２００５／１０６３４６号パンフレット
【発明の概要】
【発明が解決しようとする課題】
【０００５】
しかしながら、従来の熱交換ユニットは、高所に壁掛け設置されることも予想し、施工性向上を目的として軽量化も考慮されているため、機器本体の剛性が落ちるという課題を有していた。また電装部品を搭載する電源板は、製品外郭を形成する前板後方に配置され、電源板は製品外郭を形成する基板及び外箱で連結固定し、更に電源板内部に搭載される部品は周囲を前板及び電源板にて水回路と区画された構成であったが、機器正面に表示される操作部（リモコン）及び圧力計は製品外郭に表示できるように電源板前面部に各々別部品にて固定されており部品点数が増え作業工数が増えていた。さらに圧力計及び操作部（リモコン）は部品の仕上がりバラツキ及び組立バラツキが大きい場合、製品視認時の位置バラツキが顕著になり美観性を損なう可能性があった。
【０００６】
本発明は、前記従来の課題を解決するもので、部品点数を削減しつつ、機器品の筐体強度を向上させた熱交換ユニットを提供することを目的とする。
【課題を解決するための手段】
【０００７】
前記従来の課題を解決するために、本発明の熱交換ユニットは、熱交換ユニットの外郭の底部を形成する基板と、外郭の底部以外を形成する外箱とを、操作部と圧力計の固定を兼ねた特殊板にて連結固定したことにより、機器の筐体強度を向上させることができる。さらに操作部（リモコン）及び圧力計の固定必要な部品点数を削減し、組立時の作業性を向上することができる。また部品点数を削減することよって、部品の仕上がりや組立による累積バラツキを低減し、操作部（リモコン）及び圧力計の位置バラツキを抑制し製品外装の美観性を保持することができる。
【発明の効果】
【０００８】
本発明は、部品点数を削減しつつ、機器品の筐体強度を向上させた熱交換ユニットを提供することができる。
【図面の簡単な説明】
【０００９】
【図１】本発明の実施形態１における温水暖房装置の構成図
【図２】同実施の形態１における熱交換ユニットの構成図
【図３】同実施の形態１における熱交換ユニットの斜視図
【図４】同実施の形態１における熱交換ユニットの内部斜視図
【図５】同実施の形態１における熱交換ユニットの内部正面図
【図６】同実施の形態１における特殊板の部品斜視図
【発明を実施するための形態】
【００１０】
第１の発明の熱交換ユニットは、熱交換ユニットの外郭の底部を形成する基板と、外郭の底部以外を形成する外箱とを、操作部と圧力計の固定を兼ねた特殊板にて連結固定したことにより、機器の筐体強度を向上させることができる。さらに操作部（リモコン）及び圧力計の固定必要な部品点数を削減し、組立時の作業性を向上することができる。また部品点数を削減することよって、部品の仕上がりや組立による累積バラツキを低減し、操作部（リモコン）及び圧力計の位置バラツキを抑制し製品外装の美観性を保持することができる。
【００１１】
第２の発明の熱交換ユニットは、特に第１の発明において、電装部品を搭載する電源板を機器内部の最側面側に配置し、前記特殊板と前記電源板と前記基板を連結固定し、機器内部の水回路と電装部を区画したことにより、電装部品が搭載された電源板を含む電装ブロックは、水回路と隣接する電源板だけとなり、それ以外の周囲は製品外郭を形成する前板、外箱、基板で覆われた構成となることにより不燃化構成を形成させると同時に、水回路と隣接する部位を最小限に限定化し、水回路の水漏れによるリスクを軽減し、安全性を向上させることができる。
【００１２】
第３の発明の熱交換ユニットは、特に第２の発明において、前記電源板を製品前面側から着脱可能に固定することにより、電源板の着脱を容易にし、修理時などのメンテナンス性を向上することができる。
【００１３】
第４の発明の熱交換ユニットは、特に第１から第３の発明において、前記特殊板に折り曲げ面を設けたことにより、特殊板の単品強度を向上させ、より機器の筐体強度を向上させることができる。
【００１４】
以下、本発明の実施の形態について、図面を参照しながら説明する。なお、この実施の形態によって本発明が限定されるものではない。
【００１５】
（実施の形態１）
図１は、本実施の形態における温水暖房装置の構成図である。図１において、本実施の形態の温水暖房装置は、冷凍サイクルを有するヒートポンプユニット１、冷媒と水とが熱交換を行うプレート型の熱交換器を有する熱交換ユニット５、内部に温水が流れて居住空間を暖める温水暖房端末８を有している。熱交換ユニット５と温水暖房端末８は室内に設置され、ヒートポンプユニット１は室外に設置されており、室内と室外とは冷媒配管で接続されている。そのため、低外気温度の状況下においても冷媒配管が凍結しにくく、特に外気温度が低くなる寒冷地などにおいては、水配管が屋外に設置されるヒートポンプ給湯機などに比べ暖房装置に適している。
【００１６】
ヒートポンプユニット１には、空気と冷媒とで熱交換を行う蒸発器２、冷媒を高温高圧冷媒に圧縮する圧縮機３、熱交換ユニット５の水冷媒熱交換器６で放熱した後の冷媒を減圧する減圧装置４が配設されており、水冷媒熱交換器６と減圧装置４と蒸発器２と圧縮機３とを順次冷媒配管にて環状に接続して冷凍サイクルを構成している。なお、冷凍サイク
ル内の流れる冷媒には、Ｒ４１０Ａや二酸化炭素などを用いる。
【００１７】
図２は、熱交換ユニット５の構成を示す構成図である。図２に示すように、熱交換ユニット５には冷媒と水とが熱交換を行うプレート型の水冷媒熱交換器６、水冷媒熱交換器６で暖められた温水を温水暖房端末８に送るためのポンプ７、管内の圧力を下げることを目的とする圧力逃がし弁１０、閉回路内に噛み込んだエアー逃がしを目的とする空気抜き弁１１、閉回路内の温水往き・戻りが流れているかを判断する流量計（フロースイッチ）１２、閉回路内の水圧を正常に保ち、破裂を防止することを目的とする膨張タンク１３が配置されており、ポンプ７が駆動することによって、温水暖房端末８内の湯水が流れて水冷媒熱交換器６で、水と冷媒との間で熱交換がなされる。
【００１８】
温水暖房端末８は、パネルヒーターや床暖房パネルなどを指し、熱交換器９を有して、熱交換器９内に水冷媒熱交換器６で暖められた温水を流すことによって、居室内を暖める構成となっている。
【００１９】
以上のように構成された温水暖房装置において、以下、熱交換ユニット５の構成について説明する。図３は熱交換ユニットの斜視図、図４は図３における内部斜視図である。
【００２０】
図３に示すように、操作部（リモコン）１４と圧力計１５の固定を兼ねた特殊板１６を製品外郭を形成する基板１７及び外箱１８で連結固定し、することで機器の筐体強度を向上することができる。さらに前記特殊板１６に操作部（リモコン）１４と圧力計１５を固定することにより、部品仕上がり及び組立による累積バラツキを低減し、操作部（リモコン）及び圧力計の位置バラツキを抑制し製品外装の美観性を保持することができる。
【００２１】
さらに、図４に示すように電装部品を搭載する電源板１９を機器内部の最側面側に配置し、前記特殊板１６と電源板１９及び製品外郭を形成する基板１７を連結固定し機器内部の水回路と電装部を区画することにより、電装部品が搭載された電源板１９を含む電装ブロックは、水回路と隣接する電源板１９だけとなり、それ以外の周囲は製品外郭を形成する前板２０、外箱１８、基板１７で覆われた構成となり不燃化構成を形成させると同時に、水回路と隣接する部位を最小限に限定化、水回路の水漏れによるリスクを軽減し、安全性を向上させることができる。さらに電源板１９は製品外郭の背面を形成する基板１７と前記特殊板１６と連結固定されており、機器内部の前後方向を支える構成をなし、より機器の筐体強度を向上させることができる。
【００２２】
また、図５に示すように、機器の最側面に配置した電源板１９を、製品前面側より特殊板１６と製品外郭の背面を形成する基板１７を締結固定したことにより、電源板の着脱を容易にし、修理時などのメンテナンス性を向上することができる。
【００２３】
さらに図６に示すように、操作部（リモコン）１４と圧力計１５の固定を兼ねた特殊板１６に折り曲げ面２０を設けることにより、特殊板の単品強度を向上させ、より機器の筐体強度を向上させることができる
以上のように、本発明の温水暖房装置は、熱交換ユニットを上述したような構成とすることで、機器の筐体強度を向上し、なおかつ、安全性とメンテナス性を確保した熱交換ユニットを提供することができる。
【産業上の利用可能性】
【００２４】
本発明は、熱交換ユニットを屋内に配設した温水暖房装置としたが、これに限定されることはなく、例えば、屋外に熱交換ユニットを配設する温水暖房装置でもよい。
【符号の説明】
【００２５】
１  ヒ−トポンプユニット
２  蒸発器
３  圧縮機
４  減圧装置
５  熱交換ユニット
６  水冷媒熱交換器
７  ポンプ
８  温水暖房端末
９  熱交換器
１０  圧力逃し弁
１１  空気抜き弁
１２  フロ−ＳＷ
１３  膨張タンク
１４  操作部（リモコン）
１５  圧力計
１６  特殊板
１７  基板
１８  外箱
１９  電源板
２０  折り曲げ面
【図１】
2011208899.tif 000003
【図２】
2011208899.tif 000004
【図３】
2011208899.tif 000005
【図４】
2011208899.tif 000006
【図５】
2011208899.tif 000007
【図６】
2011208899.tif 000008